(57)【特許請求の範囲】
【請求項１】
受信装置であって、
互いに異なる色に着色された複数の操作用ボタンを有する操作手段と、
ディスプレイと、
前記操作用ボタンの色に対応して複数に色分けされたキーからなるソフトキーボートを、前記ディスプレイに表示するソフトキーボード表示手段と、
前記操作用ボタンに押下に応答して、前記押下された操作ボタンの色と同じ色のソフトキーボード上の任意のキーにフォーカスを移動させるフォーカス移動手段と
を有することを特徴とする受信装置。
【請求項２】
前記操作手段がリモコンであることを特徴とする請求項１に記載の受信装置。
【請求項３】
互いに異なる色に着色された複数の操作用ボタンを有する操作手段を有する受信装置のプログラムであって、前記プログラムは、前記受信装置を、
前記操作用ボタンの色に対応して複数に色分けされたキーからなるソフトキーボートを、受信装置のディスプレイに表示するソフトキーボード表示手段と、
前記操作用ボタンに押下に応答して、前記押下された操作ボタンの色と同じ色のソフトキーボード上の任意のキーにフォーカスを移動させるフォーカス移動手段と
して機能させることを特徴とする受信装置のプログラム。
【請求項４】
前記操作手段がリモコンであることを特徴とする請求項１に記載の受信装置のプログラム。
【請求項５】
前記プログラムは、放送局から配信されることを特徴とする請求項３又は請求項４に記載の受信装置のプログラム。
【発明の詳細な説明】
【０００１】
【発明が属する技術分野】
本発明は受信装置の技術に関し、特に受信装置の画面に表示されるソフトキーボードの技術に関する。
【０００２】
【従来の技術】
近年、デジタル放送も開始され、放送も多種多様になり、また、データ放送と連携していろいろな番組を楽しめるようになっている。
【０００３】
このような状況下において、視聴者が自ら、氏名や住所等の文字を入力する機会が多くなっている。このような、文字を入力する際、現在の受信装置（テレビ）は専用のキーボードを持たないため、画面上に５０音順に文字が並べられたキーボード（ソフトキーボードと呼ばれる）を表示し、入力したい文字のキー上にフォーカスをリモコンを用いて移動させ、入力するのが一般的である。
【０００４】
【発明が解決しようとする課題】
しかしながら、現在のソフトキーボードによる入力は、入力したい文字同士が離れていると、フォーカスを移動するのに手間が係り、非常に時間を有する。例えば、「あめ」と入力する場合、「あ」のキー位置にフォーカスを移動して確定後、次の「め」のキー位置に移動するまで、キーボードを横断するようなフォーカスの移動をせねばならず、リモコンのフォーカス移動キーを押し続けなければならなかった。
【０００５】
これでは、入力の手間がかかり、ユーザの情報入力の意欲が減退する。
【０００６】
そこで、本発明は上記課題に鑑みて発明されたものであって、その目的は画面上に表示されたキーボード（ソフトキーボード）を用いた入力の際に、指定のキーまでの移動をより簡単にし、ソフトキーボードによる文字の入力を容易にする技術を提供することにある。
【０００７】
【課題を解決するための手段】
上記課題を解決する第１の発明は、受信装置であって、
互いに異なる色に着色された複数の操作用ボタンを有する操作手段と、
ディスプレイと、
前記操作用ボタンの色に対応して複数に色分けされたキーからなるソフトキーボートを、前記ディスプレイに表示するソフトキーボード表示手段と、
前記操作用ボタンに押下に応答して、前記押下された操作ボタンの色と同じ色のソフトキーボード上の任意のキーにフォーカスを移動させるフォーカス移動手段と
を有することを特徴とする。
【０００８】
また、上記課題を解決する第２の発明は、上記第１の発明において、前記操作手段がリモコンであることを特徴とする。
【０００９】
上記課題を解決する第３の発明は、互いに異なる色に着色された複数の操作用ボタンを有する操作手段を有する受信装置のプログラムであって、前記プログラムは、前記受信装置を、
前記操作用ボタンの色に対応して複数に色分けされたキーからなるソフトキーボートを、受信装置のディスプレイに表示するソフトキーボード表示手段と、
前記操作用ボタンに押下に応答して、前記押下された操作ボタンの色と同じ色のソフトキーボード上の任意のキーにフォーカスを移動させるフォーカス移動手段と
して機能させることを特徴とする受信装置のプログラムである。
【００１０】
また、上記課題を解決する第４の発明は、上記第３の発明において、前記操作手段がリモコンであることを特徴とする。
【００１１】
また、上記課題を解決する第５の発明は、上記第４又は第５の発明において、前記プログラムは、放送局から配信されることを特徴とする。
【００１２】
【発明の実施の形態】
本発明の実施の形態を説明する。
【００１３】
図1は本発明の実施の形態の概念図である。
【００１４】
図1中、1はリモコン、２はディスプレイであり、３はソフトキーボード表示部であり、４はフォーカス移動部である。
【００１５】
リモコン１は、図２に示されごく、フォーカスを移動する為の方向キー１１と、色分けされた青ボタン１２、赤ボタン１３及び緑ボタン１４を備える。
【００１６】
ソフトキーボード表示部３は、図３に示されるごとく、各キーがリモコン１の青ボタン１２、赤ボタン１３及び緑ボタン１４に対応して色分けされたソフトキーボードを、ディスプレイ１に表示する。表示されるソフトキーボードの各キーは、ひらがなの場合、「あ行」から「た行」までが青色、「な行」から「や行」までが赤色、「ら行」から「数字」までが緑色で表示される。また、図４に示される如く、アルファベットの場合、「ａ」から「ｔ」までが青色、「ｅ」から「．」までが赤色、「ｃｏ．ｊｐ」から「数字」までが緑色で表示される。
【００１７】
フォーカス移動部４は、リモコン１の方向ボタンの操作に応答して、ソフトキーボード上のフォーカスを移動する。更に、本発明の特徴的なものとして、リモコン１の青ボタン１２、赤ボタン１３又は緑ボタン１４の押下に応答して、押下された色ボタンの色に対応した色のエリアにある所定キー位置にフォーカスを移動させる。本実施の形態では、青ボタン１２が押下された場合には青色の「あ」のキー位置にフォーカスを移動する。また、赤ボタン１３が押下された場合には赤色の「な」のキー位置にフォーカスを移動する。また、緑ボタン１４が押下された場合には緑色の「ら」のキー位置にフォーカスを移動する。
【００１８】
次に、上述の構成における具体的な動作を説明する。
【００１９】
まず、ソフトキーボードをディスプレイ１に表示させる。ここで、ソフトキーボードを用いて、「てれび  たろう」を入力する場合を想定する。
【００２０】
入力するユーザは、「てれび  たろう」を入力するため、「て」、「れ」、「ひ」、「゛」、「空白」、「た」、「ろ」、「う」という順に、方向キー４１によりフォーカスをキー位置に移動させ、入力していくわけであるが、例えば、「ろ」を入力後、「う」を入力する為には通常ならば、方向キー１１を３回押下して「る」に移動後、再び方向キー１１を8回押下して「う」に移動させなければならない。
【００２１】
しかしながら、本発明では、「ろ」を入力後、リモコン１の青ボタン１２を押下すれば、フォーカスが「あ」のキー位置に移動する。この為、「う」のキー位置に移動させるためには、方向キー１１を２回押下すればよい。従って、フォーカスの移動に伴う煩わしさを軽減することができる。
【００２２】
尚、本実施の形態では、ソフトキーボード表示部３と、フォーカス移動４とを別個に構成したが、ひとつのプログラムにより動作する制御部により、構成しても良い。この場合、プログラムは、ＢＭＬで記述され、放送局から放送されて各受信機で受信される。
【００２３】
また、本発明はテレビのような受信機のみならず、テレビゲームなどのようにキーボードでなく、コントローラーのようなもので文字を入力する場合にも適用可能である。
【００２４】
【発明の効果】
本発明によれば、ソフトキーボードを用いた文字の入力の際、フォーカスの移動に伴う煩わしさを軽減することができる。
【図面の簡単な説明】
【図１】図1は本発明の実施の形態の概念図である。
【図２】図２はリモコン１を説明するための図である。
【図３】図３はソフトキーボードの一例を示す図である。
【図４】図４はソフトキーボードの一例を示す図である。
【符号の説明】
１      リモコン
２      ディスプレイ
３      ソフトキーボード表示部
４      フォーカス移動部
【図１】
0003775738.tif 000002
【図２】
0003775738.tif 000003
【図３】
0003775738.tif 000004
【図４】
0003775738.tif 000005